【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
高感度の色信号と低感度の色信号とに基づいて広ダイナミックレンジの色信号を生成する際のホワイトバランス調整方法において、
高感度の色信号に基づいて第１のホワイトバランス補正値を求めるステップと、
前記第１のホワイトバランス補正値に従って前記高感度の色信号を補正するステップと、
前記高感度の色信号の色間の出力差と前記低感度の色信号の色間の比である感度比を、前記第１のホワイトバランス補正値に乗算して第２のホワイトバランス補正値を求めるステップと、
前記第２のホワイトバランス補正値に従って前記低感度の色信号を補正するステップと、
を含むホワイトバランス調整方法。
【請求項２】
高感度の色信号と該低感度の色信号とに基づいて広ダイナミックレンジの色信号を生成する際のホワイトバランス調整方法において、
前記色信号に基づいてＲ，Ｇ，Ｂの各色信号の積算値の第１の比Ｒ／Ｇ，Ｂ／Ｇを求めるステップと、
前記第１の比Ｒ／Ｇ，Ｂ／Ｇに基づいて第１のホワイトバランス補正値を求めるステップと、
前記第１のホワイトバランス補正値に従って前記高感度の色信号を補正するステップと、
前記低感度の色信号に基づいてＲ，Ｇ，Ｂの各色信号の積算値の第２の比Ｒ／Ｇ，Ｂ／Ｇを求めるステップと、
前記高感度の色信号と前記低感度の色信号との比である感度比を前記第２の比Ｒ／Ｇ，Ｂ／Ｇに乗算して前記第１の比Ｒ／Ｇ，Ｂ／Ｇに相当する第３の比Ｒ／Ｇ，Ｂ／Ｇを求めるステップと、
前記第３の比Ｒ／Ｇ，Ｂ／Ｇに基づいて前記第１のホワイトバランス補正値に相当する第２のホワイトバランス補正値を求めるステップと、
前記感度比を前記第２のホワイトバランス補正値に乗算して第３のホワイトバランス補正値を求めるステップと、
前記第３のホワイトバランス補正値に従って前記低感度の色信号を補正するステップと、
を含むホワイトバランス調整方法。
【請求項３】
前記感度比を予め記憶した記憶手段から該感度比を読み出すステップを更に含む請求項１又は２に記載のホワイトバランス調整方法。
【請求項４】
前記感度比を前記高感度の色信号及び前記低感度の色信号に基づいて算出するステップを更に含む請求項１又は２に記載のホワイトバランス調整方法。  
【請求項５】
高感度の色信号と低感度の色信号とをもち、
高感度の色信号に基づいて第１のホワイトバランス補正値を求める手段と、
前記第１のホワイトバランス補正値に従って前記高感度の色信号を補正する手段と、
前記高感度の色信号と前記低感度の色信号との比である感度比を前記第１のホワイトバランス補正値に乗算して第２のホワイトバランス補正値を求める手段と、
前記第２のホワイトバランス補正値に従って前記低感度の色信号を補正する手段と、
前記補正された高感度の色信号と該高感度に対応する位置の補正された低感度の色信号とに基づいて広ダイナミックレンジの色信号を生成する手段と、
を備えたことを特徴とするカメラ。
【請求項６】
高感度の色信号と低感度の色信号とをもち、
高感度の色信号に基づいてＲ，Ｇ，Ｂの各色信号の積算値の第１の比Ｒ／Ｇ，Ｂ／Ｇを求める手段と、
該第１の比Ｒ／Ｇ，Ｂ／Ｇに基づいて第１のホワイトバランス補正値を求める手段と、
前記第１のホワイトバランス補正値に従って前記高感度の色信号を補正する手段と、
低感度の色信号に基づいてＲ，Ｇ，Ｂの各色信号の積算値の第２の比Ｒ／Ｇ，Ｂ／Ｇを求める手段と、
前記高感度の色信号と前記低感度の色信号との比である感度比を前記第２の比Ｒ／Ｇ，Ｂ／Ｇに乗算して前記第１の比Ｒ／Ｇ，Ｂ／Ｇに相当する第３の比Ｒ／Ｇ，Ｂ／Ｇを求める手段と、
前記第３の比Ｒ／Ｇ，Ｂ／Ｇに基づいて前記第１のホワイトバランス補正値に相当する第２のホワイトバランス補正値を求める手段と、
前記感度比を前記第２のホワイトバランス補正値に乗算して第３のホワイトバランス補正値を求める手段と、
前記第３のホワイトバランス補正値に従って前記低感度の色信号を補正する手段と、
前記補正された高感度の色信号と該高感度に対応する低感度の色信号とに基づいて広ダイナミックレンジの色信号を生成する手段と、
を備えたことを特徴とするカメラ。
【手続補正２】
【補正対象書類名】明細書
【補正対象項目名】０００８
【補正方法】変更
【補正の内容】
【０００８】
前記目的を達成するために、請求項１に記載の発明は、高感度の色信号と低感度の色信号とに基づいて広ダイナミックレンジの色信号を生成する際のホワイトバランス調整方法において、高感度の色信号に基づいて第１のホワイトバランス補正値を求めるステップと、前記第１のホワイトバランス補正値に従って前記高感度の色信号を補正するステップと、前記高感度の色信号の色間の出力差と前記低感度の色信号の色間の比である感度比を、前記第１のホワイトバランス補正値に乗算して第２のホワイトバランス補正値を求めるステップと、前記第２のホワイトバランス補正値に従って前記低感度の色信号を補正するステップと含む構成となっている。
【手続補正３】
【補正対象書類名】明細書
【補正対象項目名】０００９
【補正方法】変更
【補正の内容】
【０００９】
この構成によって、低感度の色信号に対するホワイトバランス補正値が、前記高感度の色信号の色間の出力差と前記低感度の色信号の色間の比である感度比を高感度の色信号に対するホワイトバランス補正値に乗算して求められ、このようにして求められたホワイトバランス補正値に従って低感度の色信号のホワイトバランスが調整されるので、低感度の色信号についても高感度の色信号と同様に的確な色再現がされることになる。
【手続補正４】
【補正対象書類名】明細書
【補正対象項目名】００１０
【補正方法】変更
【補正の内容】
【００１０】
また、請求項２に記載の発明は、高感度の色信号と該低感度の色信号とに基づいて広ダイナミックレンジの色信号を生成する際のホワイトバランス調整方法において、前記色信号に基づいてＲ，Ｇ，Ｂの各色信号の積算値の第１の比Ｒ／Ｇ，Ｂ／Ｇを求めるステップと、前記第１の比Ｒ／Ｇ，Ｂ／Ｇに基づいて第１のホワイトバランス補正値を求めるステップと、前記第１のホワイトバランス補正値に従って前記高感度の色信号を補正するステップと、前記低感度の色信号に基づいてＲ，Ｇ，Ｂの各色信号の積算値の第２の比Ｒ／Ｇ，Ｂ／Ｇを求めるステップと、前記高感度の色信号と前記低感度の色信号との比である感度比を前記第２の比Ｒ／Ｇ，Ｂ／Ｇに乗算して前記第１の比Ｒ／Ｇ，Ｂ／Ｇに相当する第３の比Ｒ／Ｇ，Ｂ／Ｇを求めるステップと、前記第３の比Ｒ／Ｇ，Ｂ／Ｇに基づいて前記第１のホワイトバランス補正値に相当する第２のホワイトバランス補正値を求めるステップと、前記感度比を前記第２のホワイトバランス補正値に乗算して第３のホワイトバランス補正値を求めるステップと、前記第３のホワイトバランス補正値に従って前記低感度の色信号を補正するステップと、を含む構成となっている。
【手続補正５】
【補正対象書類名】明細書
【補正対象項目名】００１１
【補正方法】変更
【補正の内容】
【００１１】
この構成によって、低感度の色信号のＲ／Ｇ及びＢ／Ｇが高感度の色信号のＲ／Ｇ及びＢ／Ｇに相当するように補正されて、これらの補正された低感度の色信号のＲ／Ｇ及びＢ／Ｇに基づいて高感度の色信号に対するホワイトバランス補正値に相当する低感度の色信号のホワイトバランス補正値が求められるとともに、この低感度の色信号のホワイトバランス補正値に、前記高感度の色信号と前記低感度の色信号との比である感度比が乗算されて、この補正されたホワイトバランス補正値に従って低感度の色信号のホワイトバランスが調整されるので、低感度の色信号についても高感度の色信号と同様に的確な色再現がされることになる。
【手続補正６】
【補正対象書類名】明細書
【補正対象項目名】００１４
【補正方法】変更
【補正の内容】
【００１４】
また、請求項４に記載の発明は、請求項１又は２に記載の発明において、前記感度比を前記高感度の色信号及び前記低感度の色信号に基づいて算出するステップを更に含む構成となっている。
【手続補正７】
【補正対象書類名】明細書
【補正対象項目名】００１６
【補正方法】変更
【補正の内容】
【００１６】
また、請求項５に記載の発明は、高感度の色信号と低感度の色信号とをもち、高感度の色信号に基づいて第１のホワイトバランス補正値を求める手段と、前記第１のホワイトバランス補正値に従って前記高感度の色信号を補正する手段と、前記高感度の色信号と前記低感度の色信号との比である感度比を前記第１のホワイトバランス補正値に乗算して第２のホワイトバランス補正値を求める手段と、前記第２のホワイトバランス補正値に従って前記低感度の色信号を補正する手段と、前記補正された高感度の色信号と該高感度に対応する位置の補正された低感度の色信号とに基づいて広ダイナミックレンジの色信号を生成する手段とを備えた構成となっている。
【手続補正８】
【補正対象書類名】明細書
【補正対象項目名】００１７
【補正方法】変更
【補正の内容】
【００１７】
また、請求項６に記載の発明は、高感度の色信号と低感度の色信号とをもち、
高感度の色信号に基づいてＲ，Ｇ，Ｂの各色信号の積算値の第１の比Ｒ／Ｇ，Ｂ／Ｇを求める手段と、該第１の比Ｒ／Ｇ，Ｂ／Ｇに基づいて第１のホワイトバランス補正値を求める手段と、前記第１のホワイトバランス補正値に従って前記高感度の色信号を補正する手段と、低感度の色信号に基づいてＲ，Ｇ，Ｂの各色信号の積算値の第２の比Ｒ／Ｇ，Ｂ／Ｇを求める手段と、前記高感度の色信号と前記低感度の色信号との比である感度比を前記第２の比Ｒ／Ｇ，Ｂ／Ｇに乗算して前記第１の比Ｒ／Ｇ，Ｂ／Ｇに相当する第３の比Ｒ／Ｇ，Ｂ／Ｇを求める手段と、前記第３の比Ｒ／Ｇ，Ｂ／Ｇに基づいて前記第１のホワイトバランス補正値に相当する第２のホワイトバランス補正値を求める手段と、前記感度比を前記第２のホワイトバランス補正値に乗算して第３のホワイトバランス補正値を求める手段と、前記第３のホワイトバランス補正値に従って前記低感度の色信号を補正する手段と、前記補正された高感度の色信号と該高感度に対応する低感度の色信号とに基づいて広ダイナミックレンジの色信号を生成する手段とを備えた構成となっている。